(57)【要約】【課題】同様の検査オーダに対する検査指示の内容の統一性を向上すること。【解決手段】実施形態に係る医療情報処理装置は、想定病名、撮影部位及び撮影方法の組合せと、検査指示に関する定型コメントと、選択回数とを関連付けた第１のテーブルを記憶する記憶部と、患者の想定病名、撮影部位及び撮影方法を取得する取得部と、前記取得された想定病名、撮影部位及び撮影方法の組合せと前記第１のテーブルとに基づいて、選択回数に関する所定の条件を満たす定型コメントを特定する定型コメント特定部と、前記特定された定型コメントを表示する表示部と、を具備する。【選択図】      図２
2019185425.tif 000002
【特許請求の範囲】
【請求項１】
想定病名、撮影部位及び撮影方法の組合せと、検査指示に関する定型コメントと、選択回数とを関連付けた第１のテーブルを記憶する記憶部と、
患者の想定病名、撮影部位及び撮影方法を取得する取得部と、
前記取得された想定病名、撮影部位及び撮影方法の組合せと前記第１のテーブルとに基づいて、選択回数に関する所定の条件を満たす定型コメントを特定する定型コメント特定部と、
前記特定された定型コメントを表示する表示部と、
を具備する医療情報処理装置。
【請求項２】
前記所定の条件は、選択件数の上位所定件数であり、
前記定型コメント特定部は、前記第１のテーブルにおいて前記取得された想定病名、撮影部位及び撮影方法の組合せに関連付けられた定型コメントのうちの前記上位所定件数に含まれる定型コメントを特定する、
請求項１記載の医療情報処理装置。
【請求項３】
前記表示部は、前記想定病名、撮影部位及び撮影方法と、検査指示に関する定型コメントとを表示する検査指示入力画面を表示し、選択回数順に並べられた前記上位所定件数の定型コメントの一覧を、前記検査指示入力画面に重ねて又は前記検査指示入力画面内に表示する、請求項１記載の医療情報処理装置。
【請求項４】
定型コメントが選択された場合、前記選択された定型コメントの選択回数を更新する計数部を更に備える、請求項１記載の医療情報処理装置。
【請求項５】
前記表示された定型コメントの中から、ユーザ指示に従い一の定型コメントを選択する選択部を更に備え、
前記表示部は、前記想定病名、撮影部位及び撮影方法と、検査指示に関する定型コメントと、定型コメントに対応する詳細コメントの入力欄とを表示する検査指示入力画面を表示し、前記一の定型コメントが選択された場合、前記一の定型コメントに対応する詳細コメントを前記入力欄に自動的に入力する、
請求項１記載の医療情報処理装置。
【請求項６】
想定病名特定部を更に備え、
前記記憶部は、想定病名のカテゴリと前記想定病名を実質的に表す文字列とを関連付けた第２のテーブルを更に記憶し、
前記取得部は、前記想定病名として前記想定病名を表す文字列を取得し、
前記想定病名特定部は、前記取得された文字列と前記第２のテーブルとに基づいて前記取得された文字列に関連付けられた想定病名のカテゴリを特定し、
前記定型コメント特定部は、前記特定されたカテゴリ、撮影方法及び想定病名の組合せと前記第１のテーブルとに基づいて前記上位所定件数の定型コメントを特定する、
請求項１記載の医療情報処理装置。
【請求項７】
前記表示部は、前記特定された定型コメントと共に、前記特定された定型コメントを採用した担当医師に関する情報を表示する、請求項１記載の医療情報処理装置。
【請求項８】
前記第１のテーブルの中に含まれる定型コメントの内容を変更する変更部を更に備え、
前記第１のテーブルは、前記第１のテーブルにおいて変更前の定型コメントと変更後の定型コメントとを関連付け、
前記表示部は、前記上位所定件数の定型コメントの中に前記変更前の定型コメントが含まれる場合、前記上位所定件数の定型コメントと共に、前記変更前の定型コメントに関連付けられた前記変更後の定型コメントを表示する、
請求項１記載の医療情報処理装置。
【発明の詳細な説明】
【技術分野】
【０００１】
本発明の実施形態は、医療情報処理装置に関する。
【背景技術】
【０００２】
画像診断部門情報管理システム（ＲＩＳ：Radiology Information System）は、病院情報システム（ＨＩＳ：Hospital Information System）から診療医等により依頼された検査オーダを取得する。ＲＩＳにおいては、取得された検査オーダに応じた検査指示を読影医等が入力する。入力された検査指示は、ＲＩＳの検査室の端末で表示したり、各種の医用画像診断装置に供給される。医用画像診断装置においては、検査指示を参考にして放射線技師等が撮影条件を決定し、医用撮像が行われる。検査指示はＲＩＳにおいて読影医等が手動で入力しているため、同様の検査オーダであっても読影医等によりばらつきが生じる場合がある。
【先行技術文献】
【特許文献】
【０００３】
【特許文献１】特開２０１７−１４０３９６号公報
【発明の概要】
【発明が解決しようとする課題】
【０００４】
発明が解決しようとする課題は、同様の検査オーダに対する検査指示の内容の統一性を向上することである。
【課題を解決するための手段】
【０００５】
実施形態に係る医療情報処理装置は、想定病名、撮影部位及び撮影方法の組合せと、検査指示に関する定型コメントと、選択回数とを関連付けた第１のテーブルを記憶する記憶部と、患者の想定病名、撮影部位及び撮影方法を取得する取得部と、前記取得された想定病名、撮影部位及び撮影方法の組合せと前記第１のテーブルとに基づいて、選択回数に関する所定の条件を満たす定型コメントを特定する定型コメント特定部と、前記特定された定型コメントを表示する表示部と、を具備する。
【図面の簡単な説明】
【０００６】
【図１】図１は、本実施形態に係る院内ネットワークの構成を示す図である。
【図２】図２は、本実施形態に係るＲＩＳの構成を示す図である。
【図３】図３は、図２のＲＩＳサーバのメモリに記憶される選択回数テーブルの一例を示す図である。
【図４】図４は、図２のＲＩＳサーバのメモリに記憶される定型コメントマスタの一例を示す図である。
【図５】図５は、図２のＲＩＳサーバのメモリに記憶される想定病名テーブルの一例を示す図である。
【図６】図６は、図２のＲＩＳサーバの処理回路により行われる検査指示入力処理の典型的な流れを示す図である。
【図７】図７は、図６のステップＳ１において表示される検査指示入力画面の一例を示す図である。
【図８】図８は、図６のステップＳ３において表示される選択候補一覧の一例を示す図である。
【図９】図９は、図６のステップＳ３において表示される他の選択候補一覧を示す図である。
【図１０】図１０は、図６のステップＳ３において表示される選択候補一覧が埋め込まれた検査指示入力画面の一例を示す図である。
【図１１】図１１は、図８の検査指示入力画面の応用例であり、関連表示ボタンが設けられた選択候補一覧の一例を示す図である。
【図１２】図１２は、図１１の関連表示ボタンが押下された場合の表示例を示す図である。
【図１３】図１３は、図２のＲＩＳサーバのメモリに記憶される選択回数テーブルの他の例を示す図である。
【図１４】図１４は、図１３に示す定型コメントを含む選択候補一覧の表示例を示す図である。
【発明を実施するための形態】
【０００７】
以下、図面を参照しながら本実施形態に係わる医療情報処理装置を説明する。
【０００８】
図１は、本実施形態に係る病院内ネットワーク１００の構成を示す図である。図１に示すように、病院内ネットワーク１００は、画像診断部門情報管理システム（ＲＩＳ）１、病院情報システム（ＨＩＳ）３及び医用画像診断装置（モダリティ）５を含む。
【０００９】
ＨＩＳ３は、患者基本情報や検査オーダ等を発行するアプリケーションを提供するコンピュータシステムである。ＨＩＳ３は、ＣＰＵ（Central Processing Unit）等のプロセッサ、ＲＯＭ（Read Only Memory）やＲＡＭ（Random Access Memory）等のメモリ、ディスプレイ、入力インタフェース、通信インタフェースを含むサーバ・コンピュータを含む。また、ＨＩＳ３は、主に診療医が操作する、ＣＰＵ等のプロセッサ、ＲＯＭやＲＡＭ等のメモリ、ディスプレイ、入力インタフェース、通信インタフェースを含むクライアント端末（ＨＩＳ端末）を含む。患者基本情報や検査オーダは、ＨＩＳ３からＲＩＳ１に転送される。
【００１０】
ＲＩＳ１は、ＨＩＳ３から受信した患者基本情報や検査オーダに基づいて検査指示を作成するアプリケーションを提供するコンピュータシステムである。ＲＩＳ１は、ＣＰＵ等のプロセッサ、ＲＯＭやＲＡＭ等のメモリ、ディスプレイ、入力インタフェース、通信インタフェースを含むサーバ・コンピュータを含む。また、ＲＩＳ１は、主に読影医が操作する、ＣＰＵ等のプロセッサ、ＲＯＭやＲＡＭ等のメモリ、ディスプレイ、入力インタフェース、通信インタフェースを含むクライアント端末（ＲＩＳ端末）を含む。患者基本情報や検査指示は、ＲＩＳ１からモダリティ５に転送される。
【００１１】
モダリティ５は、検査指示に従い医用撮像を行う医用画像診断装置である。モダリティ５としては、例えば、Ｘ線コンピュータ断層撮影装置、Ｘ線診断装置、磁気共鳴イメージング装置、超音波診断装置、核医学診断装置等が挙げられる。モダリティ５は、例えば、医師や診療放射線技師等により操作される。
【００１２】
なお、本実施形態に病院内ネットワーク１００の構成は上記に限定されず、更に読影レポート作成装置やＰＡＣＳ（Picture Archiving and Communication System）を含んでも良い。また、病院内ネットワーク１００の幾つかの要素が統合されても良い。例えば、ＨＩＳ３とＲＩＳ１とが１個のシステムに統合されても良い。
【００１３】
本実施形態に係る医療情報処理装置は、患者基本情報や検査オーダに従い検査指示を発行可能なコンピュータであれば、病院内ネットワーク１００に存在する如何なるコンピュータにも適用可能である。以下の説明において医療情報処理装置は、ＲＩＳ１に含まれるサーバ・コンピュータであるものとする。
【００１４】
図２は、本実施形態に係るＲＩＳ１の構成を示す図である。図２に示すように、ＲＩＳ１は、サーバ・コンピュータ（以下、ＲＩＳサーバ）１０とクライアント・コンピュータ（以下、ＲＩＳ端末）２０とを含む。ＲＩＳサーバ１０とＲＩＳ端末２０とはネットワークを介して互いに通信可能に接続されている。
【００１５】
ＲＩＳサーバ１０は、少なくとも処理回路１１、メモリ１３及び通信インタフェース１５を有する。
【００１６】
処理回路１１は、ＣＰＵ及びＧＰＵ等のプロセッサを有する。当該プロセッサがメモリ１３等にインストールされた検査指示作成プログラムを起動することにより、検査オーダ取得機能１１１、定型コメント特定機能１１２、定型コメント選択機能１１３、想定病名特定機能１１４、選択回数計数機能１１５、定型コメント変更機能１１６及び表示制御機能１１７等を実行する。なお、各機能１１１〜１１７は単一の処理回路で実現される場合に限らない。複数の独立したプロセッサを組み合わせて処理回路を構成し、各プロセッサがプログラムを実行することにより各機能１１１〜１１７を実現するものとしても構わない。
【００１７】
検査オーダ取得機能１１１において処理回路１１は、ＨＩＳ３から通信インタフェース１５を介して患者に関する検査オーダを取得する。検査オーダは、少なくとも想定病名、撮影部位及び撮影方法を含む。想定病名は、患者に想定される病名である。撮影部位は、モダリティ５による撮影対象の患者の解剖学的部位である。撮影方法は、モダリティ５による医用撮影の手法である。
【００１８】
定型コメント特定機能１１２において処理回路１１は、検査オーダ取得機能１１１により取得された想定病名、撮影部位及び撮影方法の組合せとメモリ１３に記憶された選択回数テーブル１３１とに基づいて、選択回数に関する所定の条件（以下、抽出条件と呼ぶ）を満たす定型コメントを特定する。選択回数テーブル１３１は、想定病名、撮影部位及び撮影方法の組合せと、検査指示に関する定型コメントと、選択回数とを関連付けたＬＵＴ（Look Up Table）又はデータベースである。定型コメントは、検査指示に関する詳細コメントの入力を補助するための定型のコメントである。本実施形態においては、定型コメントに基づいて詳細コメントが入力される。選択回数は、選択回数テーブル１３１において関連付けられている定型コメントが選択された回数である。選択回数は、選択回数計数機能１１５により計数される。
【００１９】
なお、撮影方法は、広義の撮影方法であっても良いし、狭義の撮影方法であっても良い。広義の撮影方法は、狭義の撮影方法と種別とを含む概念である。種別は、医用撮影を行うモダリティの種類である。狭義の撮影方法は、当該モダリティで行う撮影手法を示す。例えば、広義の撮影方法が「ＣＴ造影」であるとした場合、種別は「ＣＴ」であり、狭義の撮影方法は「造影」である。
【００２０】
図３は、選択回数テーブル１３１の一例を示す図である。図３に示すように、選択回数テーブル１３１は、少なくとも組合せ（想定病名−撮影部位−撮影方法）、定型コメント及び選択回数の項目を含む。例えば、組合せとして、想定病名「腹部大動脈流」、撮影部位「腹部」及び撮影方法「造影」が記録される。当該組合せの定型コメントは「ヘリカル、単純６ｍｍ、ＭＰＲ」であり、選択回数は「２１０」回である。図３に示すように、同一の組合せに対して複数の定型コメント及び選択回数を関連付け可能である。処理回路１１は、検査オーダ取得機能１１１により取得された組合せに関連付けられた定型コメントのうち、選択回数が抽出条件を満たす定型コメントを特定する。例えば、上位１０番以内のような上位所定順位内であることが抽出条件として設定される。なお、定型コメントの一覧は、マスターファイル１３３に格納されている。以下、定型コメントのマスターファイルを定型コメントマスタ１３３と呼ぶことにする。定型コメントマスタ１３３は、例えば、メモリ１３に記憶される。
【００２１】
図４は、メモリ１３に記憶される定型コメントマスタ１３３の一例を示す図である。図４に示すように、定型コメントマスタ１３３は、中分類毎に定型コメントを格納している。中分類は、定型コメントを分類するための概念であり、例えば、種別と撮影部位との組合せにより規定される。例えば、図４に示すように、中分類であるＣＴの腹部撮影の定型コメントとして「術後ｆ／ｕ（外来、入院）、基本造影１相」が規定される。
【００２２】
定型コメント選択機能１１３において処理回路１１は、定型コメント特定機能１１２により特定された定型コメントの中から、ユーザによりＲＩＳ端末２０を介して指定された定型コメントを選択する。
【００２３】
想定病名特定機能１１４において処理回路１１は、検査オーダ取得機能１１１により取得された想定病名の文字列とメモリ１３に記憶された想定病名テーブル１３５とに基づいて、当該想定病名のカテゴリを特定する。想定病名テーブル１３５は、想定病名のカテゴリと当該想定病名を実質的に表す文字列とを関連付けたＬＵＴ（Look Up Table）又はデータベースである。
【００２４】
図５は、想定病名テーブル１３５の一例を示す図である。図４に示すように、想定病名テーブル１３５は、少なくとも想定病名のカテゴリと表記との項目を含む。カテゴリは、当該想定病名の代表的な名称である。表記は、当該想定病名のカテゴリに分類される当該想定病名の個々の表記である。例えば、カテゴリ「うつ」に対して、その表記として「うつ病」、「うつ状態」、「うつ病疑い」等が登録される。
【００２５】
選択回数計数機能１１５において処理回路１１は、定型コメント選択機能１１３により定型コメントが選択される毎に、選択された定型コメントに選択回数テーブル１３１において関連付けられた選択回数を更新する。
【００２６】
定型コメント変更機能１１６において処理回路１１は、ユーザによりＲＩＳ端末２０を介した指示等に従い、定型コメントマスタ１３３に格納される定型コメントの内容を変更する。例えば、新たな定型コメントを作成する場合、処理回路１１は、定型コメントマスタ１３３に当該定型コメントを追加する。
【００２７】
表示制御機能１１７において処理回路１１は、種々の表示データを生成し、生成された表示データを通信インタフェース１５を介してＲＩＳ端末２０に送信する。例えば、処理回路１１は、検査指示作成画面のデータをＲＩＳ端末２０に送信する。また、処理回路１１は、定型コメント特定機能１１２により特定された定型コメントのデータをＲＩＳ端末２０に送信する。また、処理回路１１は、生成された種々の表示データをＲＩＳサーバ１０が備える図示しないディスプレイに表示しても良い。
【００２８】
メモリ１３は、種々の情報を記憶するＲＯＭ（Read Only Memory）やＲＡＭ（Random Access Memory）、ＨＤＤ（Hard Disk Drive）、ＳＳＤ（Solid State Drive）、集積回路記憶装置等の記憶装置である。メモリ１３は、上記記憶装置以外にも、ＣＤ（Compact Disc）、ＤＶＤ（Digital Versatile Disc）、フラッシュメモリ等の可搬型記憶媒体や、半導体メモリ素子等との間で種々の情報を読み書きする駆動装置であってもよい。例えば、メモリ１３は、検査指示作成プログラムや選択回数テーブル１３１、定型コメントマスタ１３３、想定病名テーブル１３５等を記憶する。
【００２９】
通信インタフェース１５は、他のコンピュータとの間でデータ通信するためのインタフェースである。具体的には、通信インタフェース１５は、ＲＩＳ端末２０やＨＩＳ３のＨＩＳサーバやモダリティ５等との間でネットワークを介して種々のデータ通信を行う。例えば、通信インタフェース１５は、ＲＩＳ端末２０から、入力機器の操作信号を受信する。受信された操作信号は処理回路１１に供給される。また、通信インタフェース１５は、表示制御機能１１７により生成された表示データをＲＩＳ端末２０に送信する。送信された表示データは、ＲＩＳ端末２０のディスプレイ２９に表示される。
【００３０】
図２に示すように、ＲＩＳ端末２０は、少なくとも処理回路２１、メモリ２３、入力インタフェース２５、通信インタフェース２７及びディスプレイ２９を有する。
【００３１】
処理回路２１は、ＣＰＵ及びＧＰＵ等のプロセッサを有する。当該プロセッサがメモリ２３等にインストールされたＯＳ（Operating system）等の基本プログラムを実行することにより、処理回路２１、メモリ２３、入力インタフェース２５、通信インタフェース２７及びディスプレイ２９間でのデータの授受を行う。
【００３２】
メモリ２３は、種々の情報を記憶するＲＯＭやＲＡＭ、ＨＤＤ、ＳＳＤ、集積回路記憶装置等の記憶装置である。メモリ１３は、上記記憶装置以外にも、ＣＤ、ＤＶＤ、フラッシュメモリ等の可搬型記憶媒体や、半導体メモリ素子等との間で種々の情報を読み書きする駆動装置であってもよい。例えば、メモリ１３は、ＲＩＳサーバ１０から受信した種々のデータを記憶する。
【００３３】
入力インタフェース２５は、ユーザからの各種の入力操作を受け付け、受け付けた入力操作を操作信号に変換して処理回路２１に出力する。具体的には、入力インタフェース２５は、マウス、キーボード、トラックボール、スイッチ、ボタン、ジョイスティック、タッチパッド及びタッチパネルディスプレイ等の入力機器にケーブルを介して接続されている。また、操作信号は、通信インタフェース２７を介してＲＩＳサーバ１０に供給される。ＲＩＳサーバ１０の処理回路１１は、ＲＩＳ端末２０からの操作信号に従い処理を実行する。
【００３４】
通信インタフェース２７は、他のコンピュータとの間でデータ通信するためのインタフェースである。例えば、通信インタフェース２７は、ＲＩＳサーバ１０等との間でネットワークを介して種々のデータ通信を行う。
【００３５】
ディスプレイ２９は、処理回路２１の制御に従い種々の情報を表示する。ディスプレイ２９としては、例えば、液晶ディスプレイ（ＬＣＤ：Liquid Crystal Display）、ＣＲＴ（Cathode Ray Tube）ディスプレイ、有機ＥＬディスプレイ（ＯＥＬＤ：Organic Electro Luminescence Display）、プラズマディスプレイ又は他の任意のディスプレイが適宜使用可能である。例えば、ディスプレイ２９は、ＲＩＳサーバ１０から受信した種々の表示データを表示する。
【００３６】
以下、本実施形態に係るＲＩＳ１の処理の詳細について説明する。
【００３７】
図６は、ＲＩＳサーバ１０の処理回路１１により行われる検査指示入力処理の典型的な流れを示す図である。なお、図６のステップＳ１開始以前において処理回路１１は、検査オーダ取得機能１１１によりＨＩＳ３から処理対象の患者に関する検査オーダを取得しているものとする。検査オーダには、処理対象の患者に関する想定病名、撮影部位及び撮影方法の組合せが含まれるものとする。
【００３８】
ＲＩＳ端末２０から検査指示入力処理の開始指示がなされることにより、図６の検査指示入力処理が開始される。
【００３９】
まず、処理回路１１は、表示制御機能１１７により、検査指示入力画面をＲＩＳ端末２０のディスプレイ２９に表示する（ステップＳ１）。検査指示入力画面は、検査指示を入力するための表示画面である。
【００４０】
図７は、ステップＳ１において表示される検査指示入力画面の一例を示す図である。図７に示すように、検査指示入力画面ＩＳ１は、患者基本情報表示領域Ｒ１、生化学検査表示領域Ｒ２、身体状態表示領域Ｒ３、医師表示領域Ｒ４、検査オーダ表示領域Ｒ５、申し送りコメント表示領域Ｒ６、各コメント表示領域Ｒ７、検査一覧表示領域Ｒ８、検査一覧コメント表示領域Ｒ９、定型コメント一覧表示領域Ｒ１０及び詳細コメント表示領域Ｒ１１を有する。
【００４１】
患者基本情報表示領域Ｒ１には患者基本情報が表示される。生化学検査表示領域Ｒ２には生化学検査に関する情報が表示される。身体状態表示領域Ｒ３には患者の身体状態に関する情報が表示される。医師表示領域Ｒ４には当該患者の医用撮影の依頼医に関する情報が表示される。検査オーダ表示領域Ｒ５には検査オーダが表示される。検査オーダとして、種別、撮影部位、撮影方法及び想定病名が表示される。申し送りコメント表示領域Ｒ６には申し送りコメントが表示される。各コメント表示領域Ｒ７には申し送りに関する各コメントが表示される。検査一覧表示領域Ｒ８には当該患者の過去の検査の一覧が表示される。検査一覧コメント表示領域Ｒ９には検査一覧表示領域Ｒ８の各検査に関するコメントが表示される。生化学検査に関する情報、身体状態に関する情報、依頼医に関する情報、オーダ、申し送りコメント、申し送りに関する各コメント、検査に関する情報及び各検査に関するコメントは、患者基本情報及び／又は検査オーダと共にＨＩＳ３から供給されても良いし、ＲＩＳ端末２０の入力インタフェース２５を介してユーザにより入力されても良い。
【００４２】
定型コメント一覧表示領域Ｒ１０には定型コメントの一覧が表示される。定型コメント一覧表示領域Ｒ１０は、中分類表示領域Ｒ１０−１と定型コメント表示領域Ｒ１０−２とを含む。中分類表示領域Ｒ１０−１には定型コメントの中分類の一覧が表示される。定型コメント表示領域Ｒ１０−２には中分類表示領域Ｒ１０−１において選択された中分類に属する定型コメントの一覧が表示される。
【００４３】
詳細コメント表示領域Ｒ１１には定型コメント表示領域Ｒ１０−２において選択された定型コメントに対応する詳細コメントが表示される。詳細コメントは、ＲＩＳ端末２０の入力インタフェース２５を介してユーザにより入力されたコメントが表示されても良い。
【００４４】
図７に示すように、検査指示入力画面ＩＳ１は、選択候補表示ボタンＢ１、確定ボタンＢ２及び閉じるボタンＢ３を含む。選択候補表示ボタンＢ１は、ステップＳ２において特定される選択候補の表示を指示するＧＵＩボタンである。確定ボタンＢ２は、ステップＳ４において選択される定型コメントの確定を指示するＧＵＩボタンである。閉じるボタンＢ３は、検査指示入力画面ＩＳ１をディスプレイ２９から非表示にすることを指示するＧＵＩボタンである。
【００４５】
ステップＳ１が行われると処理回路１１は、定型コメント特定機能１１２を実行し、処理対象の患者に関する想定病名、撮影部位及び撮影方法の組合せから定型コメントの選択候補を特定する（ステップＳ２）。ステップＳ２において処理回路１１は、まず、想定病名特定機能１１４を実行する。想定病名特定機能１１４において処理回路１１は、メモリ１３から想定病名テーブル１３５を読み出す。そして処理回路１１は、検査オーダ取得機能１１１により取得された処理対象の患者に関する想定病名の文字列を検索キーとして想定病名テーブル１３５を検索し、当該文字列に関連付けられた想定病名のカテゴリを特定する。検査オーダは、典型的には、診療医等により手入力される。従って同一の病気の名称を想定病名として入力しようとしても、診療医等により表記のブレが生じる場合がある。想定病名テーブル１３５を用いて想定病名のカテゴリを特定することにより、想定病名に関するユーザ毎の表記のブレ（曖昧さ）を低減することができる。
【００４６】
次に、処理回路１１は、定型コメント特定機能１１２を実行する。定型コメント特定機能１１２において処理回路１１は、メモリ１３から選択回数テーブル１３１を読み出す。そして処理回路１１は、想定病名のカテゴリ、撮影部位及び撮影方法の組合せを検索キーとして選択回数テーブル１３１を検索し、当該組合せに関連付けられた定型コメントを特定する。典型的には複数の定型コメントが特定される。次に、処理回路１１は、特定された複数の定型コメントの中から、選択回数に関する抽出条件を満たす定型コメントを選択候補として特定する。例えば、抽出条件として、選択回数が上位１０番であることとする。この場合、処理回路１１は、特定された複数の定型コメントの選択回数を多い順又は少ない順に並べ替え、選択回数上位１０番内の定型コメントを選択候補として特定する。
【００４７】
なお、選択回数に関する抽出条件は上位１０番であることに限定されない。例えば、上位５番や２０番等、順位は幾つであっても良い。また、選択回数に関する抽出条件は、選択回数の閾値であっても良い。すなわち、選択回数が所定数以上の定型コメントが選択候補として抽出されても良い。所定数としては、１０以上等の幾つに設定されても良い。
【００４８】
また、ステップＳ２において、ＨＩＳ３から取得された検査オーダに含まれる想定病名について表記のブレが存在しない場合、ステップＳ２において想定病名特定機能１１４が実行される必要はない。この場合、検査オーダに含まれる想定病名、撮影部位及び撮影方法の組合せを検索キーとして選択回数テーブル１３１が検索されれば良い。
【００４９】
ステップＳ２が行われると処理回路１１は、表示制御機能１１７を実行し、ステップＳ２において特定された選択候補の一覧をディスプレイ２９に表示する。選択候補の一覧は、ステップＳ１において表示された検査指示入力画面に重ねて表示される。
【００５０】
図８は、選択候補の一覧が重ねられた検査指示入力画面ＩＳ１を示す図である。図８に示すように、検査指示入力画面ＩＳ１には選択候補の一覧（以下、選択候補一覧と呼ぶ）Ｒ１２が重ねられる。具体的には、検査指示入力画面ＩＳ１の表示ウィンドウが検査指示入力画面ＩＳ１にポップアップ表示される。選択候補一覧Ｒ１２は、ＲＩＳ端末２０の入力インタフェース２５を介した選択候補表示ボタンＢ１の押下を契機として表示される。
【００５１】
より詳細には、処理回路１１は、選択候補表示ボタンＢ１が押下された場合、ステップＳ２において特定された選択候補に関する選択候補一覧Ｒ１２を生成する。選択候補一覧Ｒ１２は、例えば、定型コメント毎に選択回数と当該定型コメントの内容とが表示される。抽出条件が上位所定順位である場合、選択候補一覧Ｒ１２には一位から順番に表示されると良い。換言すれば、抽出条件が上位所定順位である場合の選択候補一覧Ｒ１２は、検査指示に関する定型コメントの履歴ランキングと称することもできる。ユーザは、選択候補一覧Ｒ１２を参照することにより、当該患者の想定病名、撮影部位及び撮影方法の組合せに対して如何なる定型コメントが多く選択されているのかを知ることができる。
【００５２】
選択候補一覧のレイアウトは図８に示すものに限定されない。例えば、図９に示すような、選択候補一覧Ｒ１３が表示されても良い。選択候補一覧Ｒ１３は、定型コメント毎に選択回数の順位が表示される。なお、所定順位以下の定型コメントについては順位が表示されなくても良い。選択候補一覧Ｒ１３においては、高順位の定型コメントが上から順番に表示されると良い。選択候補一覧Ｒ１３には、生化学検査や身体の状態に関する情報が表示されても良い。
【００５３】
ステップＳ３が行われると処理回路１１は、定型コメント選択機能１１３を実行し、選択候補一覧Ｒ１２の中から一の定型コメントを選択する（ステップＳ４）。例えば、ユーザは、ＲＩＳ端末２０の入力インタフェース２５を介して選択候補一覧Ｒ１２の中から任意の定型コメントを指定する。これにより、ユーザは、抽出条件を満たす定型コメントの中から当該患者に関する定型コメントを指定することが可能になる。例えば、抽出条件が上位所定順位である場合、当該患者の想定病名、撮影部位及び撮影方法の組合せに対して頻繁に選択されている定型コメントを指定することができる。処理回路１１は、指定された定型コメントを選択する。
【００５４】
ステップＳ４が行われると処理回路１１は、表示制御機能１１７を実行し、ステップＳ４において選択された定型コメントに対応する詳細コメントを、検査指示入力画面に入力する。具体的には、ステップＳ４において定型コメントが選択された場合、ユーザは、入力インタフェース２５を介して、確定ボタンＢ２を押下する。確定ボタンＢ２が押下されたことを契機として処理回路１１は、選択された定型コメントと同一の文章を検査指示入力画面ＩＳ１の詳細コメント表示領域Ｒ１１に入力する。そして処理回路１１は、ユーザによりＲＩＳ端末２０の入力インタフェース２５を介して、詳細コメントに関する追加の文章が入力された場合、入力された文章を詳細コメント表示領域Ｒ１１に入力する。詳細コメント表示領域Ｒ１１に入力された詳細コメントが検査指示として用いられる。
【００５５】
なお、ステップＳ３において表示された選択候補一覧の中に適切な定型コメントが含まれない場合もある。この場合、ユーザは、入力インタフェース２５を介して、定型コメント一覧表示領域Ｒ１０の中から定型コメントを指定しても良い。この場合、処理回路１１は、指定された定型コメントに対応する文章を詳細コメント表示領域Ｒ１１に入力する。また、定型コメント一覧表示領域Ｒ１０の中にも適切な定型コメントが含まれない場合、ユーザは、入力インタフェース２５を介して、詳細コメント表示領域Ｒ１１に直接的にコメントを入力しても良い。
【００５６】
以上により、検査指示入力処理の説明を終了する。
【００５７】
上記の検査指示入力処理によれば、抽出条件を満たす定型コメントをユーザに提示することができるので、同様の検査オーダに対する検査指示のばらつきを低減させることができる。また、提示された定型コメントを選択することにより、詳細コメントとして検査指示を入力することができるので、検査指示の入力の効率を向上することが可能になる。
【００５８】
なお、上記においては、選択候補表示ボタンＢ１が押下されたことを契機として選択候補一覧Ｒ１２が検査指示入力画面ＩＳ１に重ねて表示されるとした。しかしながら、本実施形態はこれに限定されない。例えば、検査指示入力画面ＩＳ１内に選択候補一覧Ｒ１２が表示されると良い。すなわち、図１０に示すように、検査指示入力画面ＩＳ２に選択候補一覧Ｒ１２が埋め込まれる。この場合、検査指示入力画面ＩＳ２には選択候補表示ボタンＢ１は設けられなくて良い。例えば、処理回路１１は、ステップＳ２において定型コメントが特定された場合、特定された定型コメントに対応する選択候補一覧Ｒ１２を検査指示入力画面ＩＳ２の対応領域に自動的に表示する。
【００５９】
本実施形態に係る検査指示入力画面については種々の変形が可能である。以下、種々の変形例について説明する。
【００６０】
上記の通り、処理回路１１は、定型コメント変更機能１１６により、定型コメントマスタ１３３の内容を変更可能である。例えば、図４に示す定型コメントマスタ１３３のうちの定型コメント「ヘリカル、単純６ｍｍ、ＭＰＲ」に対して変更がなされ、定型コメントマスタ１３３に定型コメント「単純６ｍｍ、ＭＰＲ」が追加されたとする。追加された定型コメント「単純６ｍｍ、ＭＰＲ」については選択回数テーブル１３１においてレコードが追加される。選択回数テーブル１３１は、変更前の定型コメント「ヘリカル、単純６ｍｍ、ＭＰＲ」と変更後の定型コメント「単純６ｍｍ、ＭＰＲ」とを関連付ける。いま、上記例と同様、定型コメント「ヘリカル、単純６ｍｍ、ＭＰＲ」の選択回数が２１０件で抽出条件を満たし、定型コメント「単純６ｍｍ、ＭＰＲ」の選択回数は３件で抽出条件を満たしていないものとする。この場合、図１１に示すように、処理回路１１は、選択候補一覧Ｒ１２に含まれる定型コメント「ヘリカル、単純６ｍｍ、ＭＰＲ」の表示欄Ｒ１４に関連表示ボタンＢ４を表示する。具体的には、処理回路１１は、選択候補一覧Ｒ１２に含まれる変更前の定型コメントに対して、選択回数テーブル１３１において関連付けられた変更後の定型コメントがある場合、変更前の定型コメントの表示欄に関連表示ボタンＢ４を表示する。
【００６１】
ＲＩＳ端末２０の入力インタフェース２５を介して関連表示ボタンＢ４が押下された場合、図１２に示すように、処理回路１１は、変更後の定型コメント「単純６ｍｍ、ＭＰＲ」の表示欄Ｒ１５を表示する。変更後の定型コメントの表示欄Ｒ１５は、変更前の定型コメントと変更後の定型コメントが関連している事が理解できるように表示される。例えば、図１２に示すように、変更後の定型コメントの表示欄Ｒ１５は、変更前の定型コメントの表示欄Ｒ１４に隣接して表示されると良い。変更後の定型コメントの表示欄Ｒ１５には閉じるボタンＢ５が表示される。ＲＩＳ端末２０の入力インタフェース２５を介して閉じるボタンＢ５が押下された場合、処理回路１１は、変更後の定型コメントの表示欄Ｒ１５を閉じる。変更後の定型コメントの表示欄Ｒ１５が閉じられた場合、図１１に示すように、変更前の定型コメントの表示欄Ｒ１４に再び関連表示ボタンＢ４が表示される。
【００６２】
このように、定型コメントマスタ１３３に含まれる定型コメントに対して変更がなされ、選択候補一覧に変更前の定型コメントが表示される場合、変更後の定型コメントが抽出条件を満たさない場合であっても、当該変更前の定型コメントに加え変更後の定型コメントが表示されると良い。この表示形態によれば、変更前の定型コメントが主流であったが変更後の新規の定型コメントが最近の医療トレンドに合致している場合などに、当該新規の定型コメントの選択をユーザに促すことが可能になる。
【００６３】
上記例において選択候補一覧の表示項目は、定型コメント及び選択回数であるとした。しかしながら、本実施形態はこれに限定されない。例えば、選択候補一覧の表示項目として、定型コメント及び選択回数の他に、当該定型コメントを過去に選択した医師の名前があっても良い。この場合、図１３に示すように、選択回数テーブル１３１は、組合せ（想定病名、撮影部位及び撮影方法）、定型コメント及び選択回数の他に、医師の項目を有する。医師の項目には、当該定型コメントを過去に選択した医師の名前が登録される。当該定型コメントを選択した全ての医師が登録されても良いし、当該定型コメントを選択した直近の医師が登録されても良い。
【００６４】
図１４は、図１３に示す定型コメントを含む選択候補一覧Ｒ１４の表示例を示す図である。図１４に示すように、選択候補一覧Ｒ１６に含まれる各定型コメントの表示欄には、選択回数及び定型コメントの他に、医師の名前が表示される。選択回数テーブル１３１において当該定型コメントに関連付けられた全ての医師が表示されても良いし、当該定型コメントを選択した直近の医師が表示されても良いし、当該定型コメントを選択した医師のうちの最も多く採用した医師が表示されても良いし、その他の医師が表示されても良い。定型コメント毎に医師の名前を表示することにより、適切な定型コメントを選択するうえでの有用な情報をユーザに提供することが可能になる。
【００６５】
上記例において選択回数テーブル１３１は、想定病名、撮影部位及び撮影方法の組合せ毎に定型コメントを関連付けているものとした。しかしながら、本実施形態はこれに限定されない。組合せの構成要素としては、想定病名、撮影部位及び撮影方法だけでなく生化学検査項目や身体測定項目を含んでも良い。生化学検査項目としては、例えば、Ｃｒ、ＢＵＮ、ｅＧＦＲ等がある。身体測定項目としては、例えば、体重、身長、胸囲等がある。想定病名、撮影部位及び撮影方法以外の要素も加味して定型コメントを特定及び表示することにより、当該患者についてより適切な定型コメントを選択することが可能になる。
【００６６】
次に、選択回数計数機能１１５の処理について説明する。選択回数計数機能１１５において処理回路１１は、ステップＳ３において表示された選択候補一覧の中から定型コメントが選択された場合、選択された定型コメントの選択回数を更新する。具体的には、処理回路１１は、入力インタフェース２５を介して定型コメントが指定され且つ検査指示入力画面ＩＳ１等に含まれる確定ボタンＢ２の押下を検知し、当該定型コメントに選択回数テーブル１３１において関連付けられた選択回数を１回増加させる。
【００６７】
選択回数の計数期間については特に限定されない。検査指示入力プログラムの導入開始時から現時点までの選択回数が選択回数テーブル１３１に記録されても良い。また、現時点から直近１箇月や１週間等の直近所定期間の選択回数が選択回数テーブル１３１に記録されても良い。直近所定期間の選択回数を採用することにより、現時点での医療トレンドに重点を置いた選択候補一覧を提示することができる。
【００６８】
以上説明した少なくとも１つの実施形態によれば、同様の検査オーダに対する検査指示の内容の統一性を向上することができる。
【００６９】
上記説明においてＲＩＳサーバ１０の処理回路１１は、検査オーダ取得機能１１１、定型コメント特定機能１１２、定型コメント選択機能１１３、想定病名特定機能１１４、選択回数計数機能１１５、定型コメント変更機能１１６及び表示制御機能１１７を実行するものとした。しかしながら、本実施形態はこれに限定されない。検査オーダ取得機能１１１、定型コメント特定機能１１２、定型コメント選択機能１１３、想定病名特定機能１１４、選択回数計数機能１１５、定型コメント変更機能１１６及び表示制御機能１１７のうちの幾つかの機能をＲＩＳ端末２０の処理回路２１が実行しても良い。
【００７０】
上記実施形態において医療情報処理装置は、ＲＩＳサーバ１０であるとした。しかしながら、本実施形態はこれに限定されない。例えば、ＲＩＳサーバ１０とＲＩＳ端末２０とを統合した一のコンピュータが本実施形態に係る医療情報処理装置であっても良い。
【００７１】
上記説明において用いた「プロセッサ」という文言は、例えば、ＣＰＵ、ＧＰＵ、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。また、プログラムを実行するのではなく、論理回路の組合せにより当該プログラムに対応する機能を実現しても良い。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１及び図２における複数の構成要素を１つのプロセッサへ統合してその機能を実現するようにしてもよい。
【００７２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７３】
１  画像診断部門情報管理システム（ＲＩＳ）
３  病院情報システム（ＨＩＳ）
５  医用画像診断装置（モダリティ）
１０  ＲＩＳサーバ
１１  処理回路
１３  メモリ
１５  通信インタフェース
２０  ＲＩＳ端末
２１  処理回路
２３  メモリ
２５  入力インタフェース
２７  通信インタフェース
２９  ディスプレイ
１００  病院内ネットワーク
１１１  検査オーダ取得機能
１１２  定型コメント特定機能
１１３  定型コメント選択機能
１１４  想定病名特定機能
１１５  選択回数計数機能
１１６  定型コメント変更機能
１１７  表示制御機能
１３１  選択回数テーブル
１３３  定型コメントマスタ
１３５  想定病名テーブル
【図１】
2019185425.tif 000003
【図２】
2019185425.tif 000004
【図３】
2019185425.tif 000005
【図４】
2019185425.tif 000006
【図５】
2019185425.tif 000007
【図６】
2019185425.tif 000008
【図７】
2019185425.tif 000009
【図８】
2019185425.tif 000010
【図９】
2019185425.tif 000011
【図１０】
2019185425.tif 000012
【図１１】
2019185425.tif 000013
【図１２】
2019185425.tif 000014
【図１３】
2019185425.tif 000015
【図１４】
2019185425.tif 000016